(57)【要約】  冠動脈の内部に冠動脈ステントまたは冠動脈バルーンを位置付けするためのデバイスの本体が、医学における使用に意図されている。本体は、各々２つの同一の半分を表わす前方部分および後方部分で形成されている。後方本体部分は前方部分に対し、重複する形で連結されている。前方本体部分は、一方の側で、Ｙ−コネクタへの連結のための切抜きを伴う管状延長部分を有する切頂部分を表わし、他方の側では、円筒形部分、より小さな直径の円筒形平滑部分およびランナーガイドへと連続的に移行する。両方の側のその円筒形前方部分において、本体には、極限位置にリテーナラグをそして係止位置にリテーナ自体を保持するために各々の中に点突起を伴うリテーナラグ用の矩形孔が具備されている。点要素を伴う円筒形スロットが、ランナーガイド側で円筒形平滑本体部分の周りに円周方向に具備されている。後方本体部分の内側表面は、平滑な表面としておよび円周方向２重ネジ山付き表面として形成される。後方本体部分の平滑表面は、円筒形の平滑な前方本体部分上に収納され、ランナー突起と係合するために円周方向２重ネジ山が具備された内側表面はランナー上に収納される。後方本体部分内の平滑内側表面と内側２重ネジ山が具備された表面との間には、円筒形後方本体部分がその軸を中心にして回転可能となることができるようにするため、ランナーガイド側で前方本体部分の円筒形平滑部分内の円筒形スロットと係合するための点要素を伴う円筒形突起が具備されている。外側後方本体部分には、石目表面ストライプと交互の水平方向に延在する平滑で透明なストライプが具備されている。冠動脈ステントまたは冠動脈バルーン送出システムを本体内に収納されたデバイスの内部に導入するための貫通孔が、冠動脈ガイド用の切抜きが具備された前方本体部分の管状延長部分内、および後方本体部分の端部表面内に形成される。後方本体部分の端部表面内に面取り部が形成される。
2022500158.tif 000002
【特許請求の範囲】
【請求項１】
冠動脈の内部に冠動脈ステントおよび冠動脈バルーンを位置付けするためのデバイスの本体において、
ラグを伴うリテーナと、
一方の側には、円筒形後方本体部分内の内部ネジ山と係合するための突起を伴いかつ本体の内部でガイドに沿って移動するための突起を伴う送出システムを収容するための孔を有するランナーと、他方の側には、前記ランナー上を進むためのネジ山を伴うキャップ内に収納され、キャップおよび前記ランナーの内部の同じ表面と整合する内部の円錐形状の端部表面を伴う前記送出システムを収容するための孔を有するゴムブッシュを備えた、前記送出システムを収容するための孔を有するキャップと、を含む本体であって、
前記本体は各々２つの半分で形成された前方本体部分と後方本体部分で構成されており、
前記前方本体部分が、一方の側では、冠動脈ガイド用の切抜きを伴いＹ−コネクタへの連結のための管状延長部分を有する切頂部分を表わし、他方の側では、各々の中に２つの点突起を伴う前記リテーナラグのための孔を備えた円筒形部分内、ランナーガイドの側の端部に形成された点要素を伴う円筒形スロットを有するより小さな直径の円筒形平滑部分内、およびランナーガイドへと連続的に移行し、
前記円筒形後方本体部分が、前記リテーナ側で円周方向に形成された点要素を伴う内側上の平滑な表面としてかつ円周方向２重ネジ山付き表面として形成されており、
前記後方本体部分の前記平滑な内側表面と前記円周方向２重ネジ山付き表面の間には、点要素を伴う円筒形突起が形成され、前記外側後方本体部分には、石目表面ストライプと交互の水平方向に延在する平滑で透明なストライプが具備されており、
前記後方本体部分の前記端部表面上に面取り部が収容されており、前記冠動脈ステントまたは冠動脈バルーン送出システムを前記デバイス内部に導入するための貫通孔が、前記前方本体部分内および前記後方本体部分の前記端部表面内に形成されている
ことを特徴とする、本体。
【請求項２】
前記切頂前方本体部分が管状延長部分無しで形成され、前記Ｙ−コネクタに対する連結のために意図されていないことを特徴とする、請求項１に記載の本体デバイス。
【請求項３】
前記後方本体部分内の前記内部ネジ山が、オフセット単一ネジ山として形成されていることを特徴とする、請求項１に記載の本体デバイス。
【請求項４】
前記後方本体部分の前記外側表面が、連続的な石目表面として形成されていることを特徴とする、請求項１に記載の本体デバイス。
【請求項５】
冠動脈の内部に冠動脈ステントおよび冠動脈バルーンを位置付けするためのデバイスの本体において、
ラグを伴うリテーナと、
一方の側には、円筒形後方本体部分内の内部ネジ山と係合するための突起を伴いかつ本体の内部でガイドに沿って移動するための突起を伴う送出システムを収容するための孔を有するランナーと、他方の側には、前記ランナー上を進むためのネジ山を伴うキャップ内に収納され、キャップおよび前記ランナーの内部の同じ表面と整合する内部の円錐形状の端部表面を伴う前記送出システムを内部に収容するための孔を有するゴムブッシュを備えた、前記送出システムを収容するための孔を有するキャップと、を含む本体であって、
前記本体は各々２つの半分で形成された前方本体部分と後方本体部分で構成されており、
ここで、前記デバイスを組立てて、前記送出システムを最初に収容する時点で、前記送出システムを収容するための前記孔を伴う前記ゴムブッシュおよび前記送出システムを収容するための前記孔を伴う前記キャップが、最初に前記増肉した側で前記リテーナ内に連続して収納され、前記送出システムを収容するための孔を伴う前記ランナーが前記リテーナの反対側に収納され、前記ゴムブッシュを内部に伴う前記キャップが前記孔の中に螺入され、その後、前記冠動脈ステントまたは冠動脈バルーン送出システムを内部に配設するために前記ブッシュ、キャップおよびランナー内に形成された前記貫通孔の中に管が導入され、
前記ゴムブッシュ、前記キャップおよび前記ランナーを含む前記リテーナが、前記前方本体部分の内部に収納されており、このとき前記リテーナの前記増肉した部分は前記リテーナラグのための側孔を伴う前記円筒形本体部分内に収容され、前記リテーナの残りの部分は、前記後方本体部分内に前記ランナーと共に収容された前記前方本体部分の前記円筒形平滑部分内に収容され、内側の後方本体部分上の点要素を伴う円筒形突起が、リテーナ側で前記前方本体部分の前記円筒形平滑部分内の点要素を伴う円筒形スロット内に収納されて、前記半分がひとたび連結された時点で前方本体部分と後方本体部分の間に重複する連結を形成する
ことを特徴とする、本体。
【発明の詳細な説明】
【技術分野】
【０００１】
本発明は、血管内冠動脈ステント植込み術の場合に送出システム上に冠動脈ステントまたは冠動脈バルーンを最大限に正確、迅速かつ安全な形で位置付けする目的で医学において使用するために意図されたデバイスの本体に関する。
【背景技術】
【０００２】
医療機器市場では、以下の利点を有する当該請求対象新案特許とは異なる本体を有する、同じ出願人の冠動脈内にステントを位置付けするための公知のデバイスが存在する（ロシア国特許第２５９８７９８号、２６５２７３２号、２６５００３８号、２６６１０９２号）：
−  本体長さひいては係止した送出システムの変位範囲を増大させることによる冠動脈ステントまたは冠動脈バルーンの位置付けの最適化、
−  手指と後方本体部分との係合部域を増大させ、後方本体部分が前方部分と重複するように構成されている構造によって可能なかぎり互いに近く人の手を位置付けすることの結果としての、動作効率の改善、
−  前方本体部分内のリテーナラグ用の孔の内部に点突起を提供し、これらの突起がリテーナを係止位置に保って、これにより係止時に冠動脈ステントまたは冠動脈バルーン送出システムが偶発的に解除される可能性を防ぐことができるようにすることによる、デバイスの動作の安全性および安定性の改善、
−  本体表面と外科医の指の間の係合を改善する、後方本体部分に沿って水平方向に延在する石目表面を伴うストライプによる、動作の安全性および安定性の改善、
−  後方本体部分に沿って水平方向に延在する石目ストライプと交互の透明なストライプによる、本体内部のメカニズムの動作を目視する可能性、
−  本体表面上に具備された相互に回転可能な点要素による、摩擦の削減および回転の質の改善、
−  デバイスの前方部分に管状延長部分を具備することにより、Ｙ−コネクタに取付けられた時点でのデバイスのセキュアで安全な係止を可能にする。
−  面取り部によって、後方本体部分端部と外科医の手の間の円滑かつ適切な接触を可能にする。
−  後方本体部分の円筒形内側表面上に２重ネジ山を使用することで後方本体部分の同一の半分を提供することによる、構造の単純化および生産コストの低減。
【０００３】
請求対象の発明は産業的に利用可能である。
【０００４】
本発明の主題は、冠動脈の内部に冠動脈ステントまたは冠動脈バルーンを位置付けするためのデバイスの本体にある。
【０００５】
該本体は、増肉したラグを伴うリテーナと、一方の側には、円筒形後方本体部分上の内側２重ネジ山と係合するための突起を伴いかつ本体の内部でガイドに沿って移動するための突起を伴う送出システムを収容するための孔を有するランナーと、他方の側には、ランナー上を進むためのネジ山を伴うキャップ内に収納され、キャップの内部およびランナーにおいて同じ表面と整合する内部の円錐形状の端部表面を伴う送出システムを収容するための孔を有するゴムブッシュを備えた送出システムを収容するための孔を有するキャップと、を含む。
【０００６】
本体内に収納されたメカニズムは、当該出願人が所有する独立したロシア発明特許第２６６１０９２号の主題であり、ここでは請求対象の新案特許の例示目的および理解のためのみに引用されている。
【０００７】
本体は、前方部分と後方部分で形成されており、これらの部分は各々、互いに連結された２つの同一の半分を表わしている。後方本体部分は、重複する形で前方部分に連結されている。
【０００８】
前方本体部分は、その一方の側で、管状延長部分を有する切頂部分を表わし、他方の側では、円筒形部分、より小さな直径の円筒形平滑部分およびランナーガイドへと移行する。
【０００９】
切頂前方部分は、外科医の左手の指で保持されるように適応されており、外科医がデバイスを所定の位置に係止できるようにする陥凹を備えており、前記陥凹は同様に、冠動脈ガイドを係止するための部位としても役立つ。陥凹には石目表面が具備されている。
【００１０】
切頂前方本体部分は、Ｙ−コネクタに連結することを意図されており、冠動脈ガイド用の切抜きを伴う管状延長部分が具備されている。管状本体延長部分は、Ｙ−コネクタ内の孔の中に挿入され、冠動脈ガイドは、管内の切抜きを通って延在して、陥凹が始まる切頂前方本体部分の外側に出てくる。
【００１１】
このような構造は、デバイスをＹ−コネクタに対して正確にかつしっかりと連結させ、冠動脈ステントまたは冠動脈バルーンを位置付けする間のＹ−コネクタとの関係におけるデバイス本体のあらゆる偶発的変位を防止することを可能にする。
【００１２】
このような構造は同様に、外科医の指にかかる負荷を削減し、外科手術を容易にし、簡略化する。
【００１３】
一実施形態として、切頂前方本体部分は、管状延長部分無しで製作され得、Ｙ−コネクタへの連結を意図されていない可能性がある。
【００１４】
本体には、両側のその円筒形前方部分において、リテーナラグのための矩形孔が備わっている。一方の側で、リテーナラグの幅と等しい距離のところで、矩形孔の各々には、リテーナラグを極限位置にそしてリテーナ自体を係止位置に保持するための点突起が具備されている。
【００１５】
ランナーガイド側で円筒形平滑前方本体部分の周りで円周方向に、２重ネジ山付き表面側で後方本体部分の円筒形平滑内側表面の周りで円周方向に具備された点要素を伴うそれぞれの突起に連結するための点要素を伴う円筒形スロットが提供されている。
【００１６】
円筒形後方本体部分は、内側上の平滑表面として、かつ円周方向２重ネジ山付き表面として形成される。
【００１７】
リテーナ側の後方本体部分の円筒形平滑内側表面には、相互に回転可能な本体部分の摩擦を削減するために円周方向に収納された点要素が具備されている。
【００１８】
後方本体部分内の平滑内側表面と内側２重ネジ山が具備された表面との間には、円筒形後方本体部分がその軸を中心にして回転可能となることができるようにするため、ランナーガイド側で前方本体部分の円筒形平滑部分内の円筒形スロットと係合するための点要素を伴う円筒形突起が具備されている。
【００１９】
後方本体部分の外側には、石目表面ストライプと交互の水平方向に延在する平滑で透明なストライプが具備されている。
【００２０】
一実施形態として、後方本体部分の外側には全面的に石目表面が具備されていてよい。
【００２１】
デバイスを組立てるとき、後方本体部分の平滑表面は、円筒形平滑前方本体部分全体にわたって収納され、ランナー突起と係合するための円周方向２重ネジ山が具備された内側は、ランナー全体にわたって収納される。
【００２２】
後方本体部分は、内部にリテーナを伴う円筒形平滑部分全体にわたりかつランナー全体にわたり前方本体部分の上面に重複する形で収納される。
【００２３】
端部表面と外科医の手掌の円滑かつ適切な接触を提供するため後方本体部分の端部表面内に面取り部が形成される。
【００２４】
本体内に収納されたデバイスの内部に冠動脈ステントまたは冠動脈バルーン送出システムを導入するための貫通孔が、冠動脈ガイド用の切抜きが具備された前方本体部分の管状延長部分内、および後方本体部分の端部表面内に形成される。
【００２５】
本体は、射出成形によってプラスチックで作られ、２つの同一の半分を各々表わす前方部分と後方部分で形成されている。
【００２６】
切頂前方部分、円筒形部分および前方本体部分のより小さい直径の円筒形平滑部分の各半分および後方本体部分の各半分は、一体として成形される。
【００２７】
一実施形態として、後方本体部分の半分には、内側にオフセットされた単一ネジ山が具備されて、デバイスを組立てるときの共通のネジ山付き表面を形成することができる。
【００２８】
半分は、別個に生産され、前方および後方本体内側部分の縁部上に形成された整合するテーパ付き孔およびテーパ付き突起を用いて、ひとたびメカニズムが組立てられた時点で、互いに連結される。
【００２９】
デバイスを組立てるとき、送出システムを収容するための孔を伴うゴムブッシュおよび送出システムを収容するための孔を伴うキャップは、最初に、増肉側でリテーナ内に連続して収納され、送出システムを収容するための孔を伴うランナーは、リテーナの反対側に収納され、内部にゴムブッシュを伴うキャップは前記孔の中に螺入される。その後、内部に冠動脈ステントまたは冠動脈バルーン送出システムを配設するためにブッシュ、キャップおよびランナー内に形成された貫通孔の中に管が導入される。
【００３０】
ゴムブッシュ、キャップおよびランナーを伴うリテーナは、前方本体部分の内部に収納され、リテーナの増肉した部分は、リテーナラグ用の側孔を伴う円筒形本体部分の中に収容され、リテーナの残りの部分は、前方本体部分の円筒形平滑部分内に収容されている。
【００３１】
前方本体部分の半分は、前方本体部分内に形成された整合するテーパ付き孔およびテーパ付き突起を用いて連結され、その後、前方本体部分の円筒形平滑部分は、後方本体部分の半分の中に収納され、点要素を伴う円筒形突起は前方本体部分の円筒形平滑部分の中に形成された円筒形スロット内に収納され、ここで、後方本体部分の半分は、後方本体部分内の整合するテーパ付き孔とテーパ付き突起を用いて前方本体部分の半分に対して同様に連結されて、これにより前方本体部分との重複する連結を形成する。
【００３２】
以下に提供するのは、添付図面のリストである。
【図面の簡単な説明】
【００３３】
【図１】図１は、本体の全体図である。
【図２】図２は、本体の側面図である。
【図３】図３は、本体の上面図である。
【図４】図４は、デバイスを伴う本体の断面図である。
【図５】図５は、デバイスを伴う本体の分解図である。
【図６】図６は、後方本体部分半分の全体図である。
【図７】図７は、Ｙ−コネクタを伴うデバイスの全体図である。
【図８】図８は、オフセットしたネジ山を伴う後方本体部分の全体図である。
【図９】図９は、後方部分にひとたび連結された状態の後方本体部分の全体図である。
【図１０】図１０は、後方部分の連続的石目表面を伴う本体の全体図である。
【図１１】図１１は、管状延長部分無しの前方部分を有する本体の全体図である。
【図１２】図１２は、後方部分にひとたび連結された状態の管状延長部分無しの前方本体部分の全体図である。
【発明を実施するための形態】
【００３４】
以下で提供されているのは、添付図面を参照した本発明の説明である。
【００３５】
本体は、前方本体部分１（図１、図２、図３、図４、図５、図７）および後方本体部分１４（図１、図２、図３、図４、図５、図６、図７）で形成されており、これらの部分は各々２つの同一の半分を表わす。後方本体部分１４（図１、図２、図３、図４、図５、図６、図７、図８）は、重複する形で前方本体部分１（図１、図２、図３、図４、図５）に連結されている。
【００３６】
前方本体部分１（図１、図２、図３、図４、図５、図７）は、一方の側で切頂延長部分４（図１、図２、図３、図５、図７）を表わし、他方の側で管状延長部分３３（図５、図７）が、円筒形部分７（図１、図２、図３、図５）、より小さい直径９の円筒形平滑部分（図５）およびランナーガイド１３（図４、図５）へと連続的に移行している。
【００３７】
一実施形態として、切頂前方本体部分４（図１１、図１２）は、管状延長部分を全く有していなくてもよい。
【００３８】
本体１（図１、図２、図３、図４、図５、図７）の切頂前方部分４（図１、図２、図３、図５、図７）は、外科医の左手の指で保持されるように適応されており、外科医がデバイスを所定の位置に係止できるようにする陥凹５（図１、図２、図５）を備えており、前記陥凹５（図１、図２、図５）は同様に、冠動脈ガイドのための係止部位としても役立つ。切頂前方本体部分４（図１、図２、図３、図５、図７）内の外科医の指のための陥凹５（図１、図２、図５）には石目表面が具備されている。
【００３９】
切頂前方本体部分４（図１、図２、図３、図５、図７）は、Ｙ−コネクタ３５（図７）に対する連結用に意図されており、冠動脈ガイド３１（図７）のための切抜き３４（図５、図７）を伴う管状延長部分３３（図５、図７）が具備されている。管状本体延長部分３３（図５、図７）はＹ−コネクタ３５（図７）内に挿入され、冠動脈ガイド３１（図７）は、管３３（図５、図７）内の切抜き３４（図５、図７）を通って延在して、陥凹５（図１、図２、図７）がある切頂前方本体部分４の外側に出てくる。
【００４０】
管状延長部分（図１１、図１２）の無い切頂前方本体部分４の一実施形態として、冠動脈ステントまたは冠動脈バルーン送出システムをデバイスの内部に収容するための管３２（図４）が、本体（図１１、図１２）の切頂前方部分４内の開口部６の中、および後方本体部分１４（図１、図２、図３、図４、図５、図６、図７）の端部表面３８（図４、図５）内の貫通孔２１の中に具備される。
【００４１】
その円筒形前方部分７（図１、図３、図５）内で、本体１（図１、図２、図３、図４）には、両側に、リテーナ２８（図４、図５、図７）のラグ３０（図１、図４、図５）用の矩形孔８（図１、図５）が具備されている。一方の側で、リテーナ２８（図４、図５、図７）のラグ３０（図１、図４、図５）の幅に等しい距離のところで、矩形孔８（図１、図２、図３、図４、図５、図９）の各々は、リテーナ２８（図４、図５、図７）のラグ３０（図１、図４、図５）を極限位置にそしてリテーナ自体２８（図４、図５、図７）を係止位置に保持するための２つの点突起１０（図１、図２、図５）を収容する。
【００４２】
切頂前方本体部分４（図１、図２、図３、図５、図７）とは反対側で、前方本体部分の円筒形平滑前方本体部分９（図５）の周りで円周方向に、２重ネジ山付き表面側２０（図６）で後方本体部分１４（図１、図２、図３、図４、図５、図６、図７）の円筒形平滑内側表面４２（図６）の周りで円周方向に具備された点要素１９（図５、図６）を伴うそれぞれの突起１８（図５）に対し連結するための点要素１２（図５）を伴う円筒形スロット１１（図５）が形成されている。
【００４３】
内側の円筒形後方本体部分１４（図１、図２、図３、図４、図５、図６、図７）は、平滑な表面４２（図６）および２重ネジ山付き表面２０（図６）として円周方向に形成される。
【００４４】
点要素１７（図５、図６）は、リテーナ２８（図４、図５、図６）の側で後方本体部分１４（図１、図２、図３、図４、図５、図６、図７）の平滑内側表面４２（図６）上に円周方向に形成される。
【００４５】
後方本体部分１４（図１、図２、図３、図４、図５、図６、図７）の平滑内側表面４２（図６）と内側２重ネジ山付き表面２０（図５、図６）の間には、円筒形後方本体部分１４（図１、図２、図３、図４、図５、図６、図７）がその軸を中心として回転可能になることができるように、ランナーガイド１３側（図４、図５）で前方本体（図４、図５）の円筒形平滑部分９内の円筒形スロット１１（図５）と係合するための点要素１９（図５、図６）を伴う円筒形突起１８（図５、図６）が形成されている。
【００４６】
後方本体部分１４（図１、図２、図３、図４、図５、図６、図７）の外側には、石目表面ストライプ１５（図１、図２、図３）と交互の水平方向に延在する平滑な透明ストライプ３７（図１、図２、図３）が具備されている。
【００４７】
一実施形態として、後方本体部分１４（図１０）の外側は、連続的石目表面４３（図１０）を有していてよい。
【００４８】
後方本体部分１４（図１、図２、図３、図４、図５、図６、図７）は、内部にリテーナ２８（図４、図５、図７）を伴う円筒形平滑部分９（図５）全体にわたりかつランナー２４（図４、図５）全体にわたり前方本体部分１（図４）の上面に重複する形で収納される。
【００４９】
外科医の手掌と本体端部部分の円滑かつ適切な接触を可能にする面取り部１６（図２、図３、図６）が、後方本体部分の端部表面３８（図４、図１０）内に形成される。
【００５０】
本体内に収納されたデバイスの内部に冠動脈ステントまたは冠動脈バルーン送出システムを導入するための貫通孔２１（図４、図５、図６）が、冠動脈ガイド３１（図７）用の切抜き３４（図５、図７、図９）が具備された前方本体部分の管状延長部分３３（図５、図７、図９）内、および後方本体部分１４（図１、図２、図３、図４、図５、図６、図７）の端部表面３８（図４、図５）内に具備される。
【００５１】
本体は、射出成形によってプラスチックで作られ、２つの同一の半分を各々表わす前方部分１と後方部分１４（図１、図２、図３、図５，図７）で形成されている。
【００５２】
一実施形態として、該半分には、オフセットされた単一ネジ山４１（図８）が具備されて、デバイスを組立てるときの共通のネジ山付き表面を形成することができる。
【００５３】
該半分は、別個に製造され、内側本体部分の縁部に沿って形成された整合するテーパ付き孔３、２３（図４、図５）およびテーパ付き突起２、２２（図４、図５）を用いて、ひとたびメカニズムが組立てられた時点で、互いに連結される。
【００５４】
デバイスを組立てるとき、送出システムを収容するための孔を伴うゴムブッシュ３９（図５）および送出システムを収容するための孔を伴うキャップ４０（図５）は、最初に、増肉側でリテーナ２８（図４、図５）内に連続して収納され、送出システムを収容するための孔を伴うランナー２４（図４、図５）は、リテーナ２８（図４、図５）の反対側に収納され、内部にゴムブッシュ３９（図５）を伴うキャップ４０（図５）は前記孔の中に螺入される。その後、内部に冠動脈ステントまたは冠動脈バルーン送出システムを配設するためにブッシュ３９、キャップ４０およびランナー２４内に形成された貫通孔の中に、管３２（図１、図４）が導入される。
【００５５】
ゴムブッシュ３９（図５）、キャップ４０（図５）およびランナー（図４、図５）を伴うリテーナ２８（図４、図５）は、前方本体部分１（図４）の内部に収納され、リテーナ２９（図４、図５）の増肉した部分は、リテーナ２８（図１、図４）のラグ３０（図１、図４）用の側孔８（図１、図４）を伴う円筒形本体部分７（図４）の中に収容され、リテーナの残りの部分は、前方本体部分９（図４）の円筒形平滑部分内に収容されている。
【００５６】
前方本体部分の半分は、前方本体部分１（図４）内に形成された整合するテーパ付き孔３（図４、図５）およびテーパ付き突起２（図４、図５）を用いて連結され、その後、前方本体部分９（図４）の円筒形平滑部分は、後方本体部分１４（図４）の半分の中に収納され、点要素１９（図５、図６）を伴う円筒形突起１８（図５、図６）は前方本体部分（図５）の円筒形平滑部分９の中に形成された点要素１２（図５）を伴う円筒形スロット１１（図５）内に収納され、ここで、後方本体部分の半分は、後方本体部分１４（図４）内の整合するテーパ付き孔２３（図５、図６）とテーパ付き突起２２（図５、図６）を用いて前方本体部分の半分に対して同様に連結されて、これにより本体の前方本体部分１（図４）および後方部分１４（図４）との重複する連結を形成する。
【符号の説明】
【００５７】
１    前方本体部分
２    前方本体部分上のテーパ付き突起
３    前方本体部分内のテーパ付き孔
４    前方本体部分の切頂部分
５    石目表面を伴う手指用陥凹
６    前方本体部分内の送出システム収容孔
７    前方本体部分の円筒形部分
８    リテーナラグ用の円筒形前方本体部分内の孔
９    前方本体部分の円筒形平滑部分
１０  リテーナラグを保持するための点突起
１１  前方本体部分の円筒形平滑部分内の円筒形スロット
１２  前方本体部分内の円筒形スロットの点要素
１３  ランナーガイド
１４  後方本体部分
１５  石目表面
１６  後方端部本体部分内の面取り部
１７  平滑内側後方本体部分の点要素
１８  円筒形突起
１９  円筒形突起点要素
２０  ランナーと係合するための後方本体部分内の内部２重ネジ山
２１  冠動脈ステントまたは冠動脈バルーン送出システム用の貫通孔
２２  後方本体部分上のテーパ付き突起
２３  後方本体部分内のテーパ付き孔
２４  ランナー
２５  冠動脈ステントまたは冠動脈バルーン送出システム用のランナー孔
２６  後方本体部分の内部のネジ山と係合するためのランナー突起
２７  前方本体ガイド用の突起
２７  前方本体部分ガイド用の突起
２８  リテーナ
２９  リテーナの増肉部
３０  リテーナラグ
３１  冠動脈ガイド
３２  送出システム管
３２  送出システム用の管
３３  管状本体延長部分
３４  冠動脈ガイド用の切抜き
３４  冠動脈ガイド用の管内切抜き
３５  Ｙ−コネクタ
３６  デバイス管を導入するためのＹ−コネクタ孔
３７  後方本体部分外側の平滑で透明なストライプ
３８  後方本体部分の端部表面
３８  端部表面後方本体部分（図１０）
３９  ゴムブッシュ
４０  キャップ
４１  オフセットしたネジ山付き内側表面を伴う後方本体部分
４２  後方本体部分の平滑内部表面
４３  後方本体部分の連続的石目表面
【図１】
2022500158.tif 000003
【図２】
2022500158.tif 000004
【図３】
2022500158.tif 000005
【図４】
2022500158.tif 000006
【図５】
2022500158.tif 000007
【図６】
2022500158.tif 000008
【図７】
2022500158.tif 000009
【図８】
2022500158.tif 000010
【図９】
2022500158.tif 000011
【図１０】
2022500158.tif 000012
【手続補正書】
【提出日】令和3年5月26日(2021.5.26)
【手続補正１】
【補正対象書類名】図面
【補正対象項目名】図１１
【補正方法】追加
【補正の内容】
【図１１】
2022500158.tif 000013
【手続補正２】
【補正対象書類名】図面
【補正対象項目名】図１２
【補正方法】追加
【補正の内容】
【図１２】
2022500158.tif 000014
【国際調査報告】
2022500158.tif 000015
2022500158.tif 000016
2022500158.tif 000017
2022500158.tif 000018